(57)【要約】【課題】キャップが開封された後も、ＩＣチップと読取り装置がＩＣチップのデータを継続して読取ることができる複合キャップを提供すること。【解決手段】容器６の口頸部２１に設けられるインナーキャップ３と、インナーキャップ３に被せられ、頂壁パネル７に破断可能なプッシュ板９を設けたオーバーキャップ２と、インナーキャップ３とオーバーキャップ２との間に設けられる中間部材４と、中間部材４に貼着されたＩＣタグ５とを備え、ＩＣタグ５は、ＩＣチップと情報送受信用アンテナとを備えた樹脂フィルムからなり、プッシュ板９の下面にはアンテナの上方に設けられ、プッシュ板９の押圧破断時にアンテナを切断するカッター１１を形成した。【選択図】図１
2014114065.tif 000002
【特許請求の範囲】
【請求項１】
螺子係合により容器の口部に設けられるインナーキャップと、該インナーキャップに被せてなるオーバーキャップと、前記インナーキャップとオーバーキャップとの間に設けられる中間部材と、ＩＣタグとを備え、
前記オーバーキャップは、頂壁パネルと、頂壁パネル周縁から降下したスカート壁を設け、
前記インナーキャップは、上壁パネルと、上壁パネル周縁から降下しており且つ内面に容器の口部外面に螺子係合する螺条を備えた筒状壁を設け、
前記中間部材は、前記頂壁パネルと前記上壁パネルとの間に天板を設け、
前記ＩＣタグは、任意の情報が記録されたＩＣチップと、情報送受信用アンテナとを装着したフィルム基材とを設け、
前記オーバーキャップの頂壁パネルの内方には、破断可能な破断部によって囲繞され、押圧による破断によって前記中間部材の天板に当接するプッシュ板を設けてなり、
前記中間部材と前記プッシュ板との係合によって前記ＩＣタグのいずれかの回路を切断するようにした複合キャップ。
【請求項２】
前記中間部材の前記天板の上面にはＩＣタグを貼着し、前記プッシュ板の下面には、前記回路の切断部の上方に設けられ、プッシュ板の押圧破断時による移動によって前記切断部を切断するカッターを形成したことを特徴とする請求項１に記載の複合キャップ。
【請求項３】
前記中間部材は、前記天板の周辺から降下した周壁を設けるとともに、該中間部材は、前記オーバーキャップの頂壁パネルと前記インナーキャップの上壁パネルとの間に配設され、かつ前記中間部材の周壁部の先端が前記上壁パネルの外周部に載置され、
前記オーバーキャップのスカート壁と前記インナーキャップの筒状壁との間には、前記中間部材の周壁が差し込み可能な隙間を形成してなり、
前記プッシュ板の押圧破断後に、前記中間部材の前記押圧移動によって、前記中間部材の周壁部が、前記スカート壁と前記筒状壁との間に挟着され、前記周壁部を介して、前記オーバーキャップ、前記インナーキャップ及び中間部材が一体的に固定される請求項１又は２に記載の複合キャップ。
【請求項４】
前記回路は、前記ＩＣチップから外部に引き出したリード線を設け、前記プッシュ板の押圧破断時に前記カッターが前記リード線の切断部を切断することによって、該リード線の切断後に生じた前記ＩＣチップの新たな記録情報を検知するようにした請求項１〜３のいずれかに記載の複合キャップ。
【請求項５】
前記回路の切断部と前記プッシュ板のカッターとが前記オーバーキャップの中心軸上に配置されていることを特徴とする請求項２〜４のいずれかに記載の複合キャップ。
【請求項６】
前記プッシュ板のカッターが前記オーバーキャップの中心軸から離れた位置に配置され、前記回路の切断部がアンテナである請求項１〜３のいずれかに記載の複合キャップ。
【請求項７】
前記カッターは、前記プッシュ板の下面から下方に突出し、前記中間部材の天板には、前記プッシュ板の押圧移動後に、前記カッターの先端が収容可能な凹部を形成した請求項２〜６のいずれかに記載の複合キャップ。
【発明の詳細な説明】
【技術分野】
【０００１】
本発明は、ＩＣタグ付きの複合容器蓋に関するものであり、より詳細には、ＩＣタグの情報を読み取り不能、若しくはキャップの開封後の記録情報を変更することができる複合キャップに関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
例えば、特許文献１には、頂板にＩＣタグが埋め込まれたキャップが開示されている。
【０００４】
このようなＩＣタグを、容器の開封履歴の表示のために使用することも提案されており、例えば、特許文献２には、キャップを開封したとき、ＩＣタグ中のＩＣチップとアンテナとを結ぶリード線が断線することにより、開封を検出する方法が提案されている。
また、特許文献３には、容器口部に装着されるキャップ本体に連結された上蓋を開封した時、キャップ本体に設けられているアンテナ回路が切断され、これにより、開封の事実を認識できることが開示されている。
【０００５】
これら特許文献２及び３の何れも、ＩＣタグの回路が切断されているという事実を外部読み取り装置により検知することにより、開封の事実を認識できるというものであるが、未だ解決すべき課題が残されている。
【０００６】
例えば、特許文献２で提案されている技術では、容器本体或いは容器本体に属する部分（具体的には、開封時にキャップから切り取られるタンパーエビデントバンド）にＩＣタグのＩＣチップを設け、容器本体に螺子締結されるキャップにアンテナ及びリード線が設けられ、キャップを開封する際にリード線が破断される。
しかるに、容器本体にＩＣチップを設けるときには、アンテナ及びＩＣチップとアンテナとを接続するリード線は、容器とは別体のキャップに設けることとなるが、このような構成は実施が困難といってよい。即ち、アンテナ及びＩＣチップがリード線で接続されているＩＣタグをキャップに設け、キャップを容器口部に装着した後に、ＩＣチップの部分のみを容器側に張り付けるという手段が採用されることとなるが、ＩＣチップが垂れ下がっている状態でキャップを容器口部に装着しなければならず、その作業（キャッピング）が極めて困難となるし、キャッピング時にＩＣチップの破損やリード線の切断を生じ易い。さらに、キャップから垂れ下がったＩＣチップの容器への貼り付けも容易ではない。
【０００７】
特許文献３の手段では、容器口部をシールしている蓋材とは別個に設けられた外蓋材にＩＣタグが設けられており、容器口部をシールしている蓋材の開封操作は、ＩＣタグが設けられている外蓋材を用いてのＩＣタグの破壊操作とは全く別個に行われる。従って、ＩＣタグが設けられている外蓋材を取り外した後、さらに、容器口部をシールしている蓋材を開封しなければならない。
即ち、引用文献３においては、容器口部の開封を行うためには、この操作とは別個に、ＩＣタグが取り付けられている蓋材（外蓋）の取り外しを行う必要があり、容器口部の開封に手間がかかるという欠点があり、さらなる改善が求められている。
【０００８】
さらに、特許文献２や３の公知の手段では、開封後には、ＩＣチップに記憶された情報を読み取ることができないため、ＩＣタグの利用が制限されるという問題もある。
特に、キャップの開封後にＩＣタグの内容を確認できる場合は、製品等のキャンペン情報や、懸賞の当否、あるいはキャップの材質などを記録しておけば、リサイクルの仕分けなどが可能になる。
【先行技術文献】
【特許文献】
【０００９】
【特許文献１】特開２００５−３２１９３５号公報
【特許文献２】特許４０４７８２１号
【特許文献３】特開２０１１−２１３３７８号公報
【発明の概要】
【発明が解決しようとする課題】
【００１０】
従って、本発明の目的は、互いに切り離されることがないキャップにＩＣタグが取り付けられており、ＩＣタグが取り付けられているキャップのキャッピング等の装着作業を容易に行うことができ、さらに、容器口部をシールしている蓋材の開封作業に際してＩＣタグの回路を切断することができ、容器口部の開封操作を、一連の操作で簡単かつ容易に行うことができ、しかも、ＩＣタグの回路の切断により容器口部が開封されている事実を確実に表示することができる新規な構造を有するＩＣタグ付き包装容器を提供することにある。
また、本発明の他の目的は、容器の開封後においても、ＩＣタグのＩＣチップに入力されている情報を読み取ることが可能な複合キャップを提供することにある。
【課題を解決するための手段】
【００１１】
本発明の複合キャップは、上記目的を達成するために、螺子係合により容器の口部に設けられるインナーキャップと、該インナーキャップに被せてなるオーバーキャップと、前記インナーキャップとオーバーキャップとの間に設けられる中間部材と、ＩＣタグとを備え、前記オーバーキャップは、頂壁パネルと、頂壁パネル周縁から降下したスカート壁を設け、前記インナーキャップは、上壁パネルと、上壁パネル周縁から降下しており且つ内面に容器の口部外面に螺子係合する螺条を備えた筒状壁を設け、前記中間部材は、前記頂壁パネルと前記上壁パネルとの間に天板を設け、前記ＩＣタグは、任意の情報が記録されたＩＣチップと、情報送受信用アンテナとを装着したフィルム基材とを設け、前記オーバーキャップの頂壁パネルの内方には、破断可能な破断部によって囲繞され、押圧による破断によって前記中間部材の天板に当接するプッシュ板を設けてなり、前記中間部材と前記プッシュ板との係合によって前記ＩＣタグのいずれかの回路を切断するようにした。
上記複合キャップの前記中間部材の前記天板の上面にはＩＣタグを貼着し、前記プッシュ板の下面には、前記回路の切断部の上方に設けられ、プッシュ板の押圧破断時による移動によって前記切断部を切断するカッターを形成することができる。
上記複合キャップの前記中間部材は、前記天板の周辺から降下した周壁を設けるとともに、該中間部材は、前記オーバーキャップの頂壁パネルと前記インナーキャップの上壁パネルとの間に配設され、かつ前記中間部材の周壁部の先端が前記上壁パネルの外周部に載置され、前記オーバーキャップのスカート壁と前記インナーキャップの筒状壁との間には、前記中間部材の周壁が差し込み可能な隙間を形成してなり、前記プッシュ板の押圧破断後に、前記中間部材の前記押圧移動によって、前記中間部材の周壁部が、前記スカート壁と前記筒状壁との間に挟着され、前記周壁部を介して、前記オーバーキャップ、前記インナーキャップ及び中間部材が一体的に固定されることが好ましい。
上記複合キャップの前記回路は、前記ＩＣチップから外部に引き出したリード線を設け、前記プッシュ板の押圧破断時に前記カッターが前記リード線の切断部を切断することによって、該リード線の切断後に生じた前記ＩＣチップの新たな記録情報を検知することができる。
上記複合キャップは、前記回路の切断部と前記プッシュ板のカッターとが前記オーバーキャップの中心軸上に配置されることが好ましい。
上記複合キャップは、前記プッシュ板のカッターが前記オーバーキャップの中心軸から離れた位置に配置され、前記回路の切断部がアンテナであることが好ましい。
上記複合キャップの前記カッターは、前記プッシュ板の下面から下方に突出し、前記中間部材の天板には、前記プッシュ板の押圧移動後に、前記カッターの先端が収容可能な凹部を形成することができる。
【発明の効果】
【００１２】
本発明の複合キャップによれば、オーバーキャップの頂壁パネルの内方には、破断可能な破断部によって囲繞され、押圧による破断によって中間部材を下方へ押圧移動させるプッシュ板を形成し、該プッシュ板の下面には切断回路の上方に設けられ、プッシュ板の押圧破断時に切断回路を切断するカッターを形成したので、ＩＣタグのいずれかの回路の切断により容器口部が開封されている事実を確認することができる。
本発明の別の複合キャップによれば、ＩＣタグは、ＩＣチップと情報送受信用アンテナとＩＣチップの外部に引き出した回路のリード線とを備えた樹脂フィルム基材からなり、ＩＣチップから引き出したリード線を切断することによって、切断後もアンテナとの通信が維持されるので、ＩＣチップやアンテナが破壊されることなく、リード線切断後もＩＣタグとの通信が可能である。これにより、ユーザは複合キャップの開封後に新たな情報を得ることができる。
さらに、リード線を引き出すことによって、カッターがどの位置にあっても、リード線をカッターまで延ばせばよいので、レイアウトの自由化を拡大することができる。
中間部材は、押圧移動後に該中間部材の周壁をオーバーキャップとインナーキャップとの隙間に挟着させるので、オーバーキャップとインナーキャップとの連結に関して、形状が複雑な構造とならず、カッターを中央に配置すれば、複合キャップの組付け時に位置合わせをする必要がなく、組立の手間を省くことができる。
中間部材の周壁の形状が先端側が薄く、基端側が厚くなる楔形状であるので、オーバーキャップのスカート壁とインナーキャップの筒状壁との間に形成した隙間に周壁を容易に差し込むことができる。
【図面の簡単な説明】
【００１３】
【図１】本発明の第１の実施形態における複合キャップを縦方向に切断した断面図である。
【図２】図１の複合キャップの分解斜視図である。
【図３】図１の複合キャップのオーバーキャップを中心線にて破断した状態の断面図である。
【図４】Ａは、図１の複合キャップの中間部材を上方から見た斜視図、Ｂは中間部材を下方から見た斜視図である。
【図５】図１の複合キャップの中間部材の天板に貼着しているＩＣタグの斜視図である。
【図６】Ａは、図１の複合キャップの開栓前の拡大断面図、Ｂは複合キャップのプッシュ板がＩＣタグの切断回路のリード線を破断した状態の拡大断面図である
【図７】本発明の第２の実施形態における複合キャップの中間部材の天板に貼着しているＩＣタグの斜視図である。
【図８】Ａは、第２の実施形態における複合キャップの開栓前の拡大断面図、Ｂは複合キャップのプッシュ板がＩＣタグの切断回路のリード線を破断した状態の拡大断面図である。
【図９】本発明の第３の実施形態における複合キャップの中間部材の天板に貼着しているＩＣタグの斜視図である。
【発明を実施するための形態】
【００１４】
以下、本発明のＩＣタグ付き複合キャップの第１の実施形態について図面を参照しながら説明する。
図１は、本発明に係る複合キャップの開封前の断面図で、図２は複合キャップの分解斜視図、図３は複合キャップのオーバーキャップの破断斜視図である。図４は、中間部材の斜視図、図５はＩＣタグの斜視図である。
複合キャップ１は、外側に配設されるオーバーキャップ２、内側に配設されるインナーキャップ３、オーバーキャップ２とインナーキャップ３との間に配設される中間部材４、オーバーキャップ２と中間部材４との間に配設されるＩＣタグ５から構成されている。
【００１５】
樹脂製のオーバーキャップ２は、円形天面の頂壁パネル７と、頂壁パネル７の周縁から降下したスカート壁８からなる。頂壁パネル７の中央部には、円形のプッシュ板９が設けられている。プッシュ板９は、カッターなどで複数のスリットを設けた破断部１８に囲繞されている。破断部１８は等間隔に形成された架橋部１０が設けられ、プッシュ板９は下方に押し込むことによって、架橋部１０が破断し、プッシュ板９はオーバーキャップ２から破断される。プッシュ板９の下面には、中央側から半径方向外側へ延び、下方へ突出する板状のカッター１１を形成している。
円筒状のスカート壁８の下部には、周方向に延びる破断ライン１２が形成されており、該破断ライン１２よりも上方に主部１５、下方にタンパーエビデント裾部１３が区画されている。破断ライン１２は周方向に間隔をおいて複数個の橋絡部１４が形成されている。
スカート壁の主部１５の内周面には、周方向に見て交互に存在する凹凸形状から構成された滑り止め用の内ローレット１６が形成されている。タンパーエビデント裾部１３の内周面にはオーバーキャップ２の内周側上方へ突出した複数のフラップ１７が等間隔に形成されている。
【００１６】
樹脂製のインナーキャップ３は、円形の上壁パネル１９と、上壁パネル１９の周縁から降下しており且つ内面に容器６の口頸部２１外面に螺子係合する螺条としての雌ネジ２２（図１）を備えた筒状壁２０とからなる。円筒状の筒状壁２０の外周面には、周方向に見て交互に存在する凹凸形状から構成された滑り止め用の外ローレット２３が形成されている。インナーキャップ３の上壁パネル１９と筒状壁２０との間には、半径方向外側に下方に向く環状の比較的長さの小さな傾斜（円錐）面２４が形成されている。
【００１７】
図４のＡ及びＢに示す樹脂製の中間部材４は、ＩＣタグ５を貼着する天板２６と、天板２６の周辺から降下した周壁２７とからなる。天板２６の中央部から半径方向外側には、複合キャップ１が組付けられた状態で、オーバーキャップ２のプッシュ板９に形成されたカッター１１の直下方に位置するスリット状の凹溝（孔）２８を形成している。天板２６の周囲には環状凸部３０が形成され、環状凸部３０の下側は周壁２７が形成されている。周壁２７には、周壁２７の下端部から周壁２７の上方に向かって形成された切込みや溝などのスリット３１を形成している。本実施形態では、スリット３１は、周壁２７の肉厚を薄くした縦溝によって形成されている。周壁２７の縦方向断面形状は、下先端が細く上壁パネル１９の底面に向かって厚く形成したほぼ二等辺三角形状である。
【００１８】
中間部材４の天板２６の上には、フィルム状のＩＣタグ５が貼着されている。
図５に示すＩＣタグ５は、円形の厚さの薄い樹脂製のフィルム基材３３、記録媒体を有するＩＣチップ３４，ＩＣチップ３４に接続されている情報送受信用のアンテナ３５を備えている。
フィルム基材３３は、一般に熱溶着可能な熱可塑性樹脂から形成されている。このような熱可塑性樹脂としては特に制限されないが、一般には、このＩＣタグ５が取付けられるオーバーキャップ２やインナーキャップ３を構成する樹脂基材と同様の樹脂が使用される。例えば、ポリオレフィン製のキャップにＩＣタグ５を設ける場合には、ポリオレフィンによりフィルム基材３３を形成するのがよい。また、ＩＣチップ３４や金属アンテナ３５がポリエチレンテレフタレート樹脂フィルムに設けられた状態で市販されているＩＣタグ５もあるが、このような場合には、適宜、酸変性オレフィン系樹脂などの接着剤を用いて、ポリエチレンテレフタレート樹脂フィルム基材３３の裏面にポリエチレンやポリプロピレン等のポリオレフィン樹脂層を積層させておくことが、キャップにＩＣタグ５を取付ける上で好ましい。
また、フィルム基材３３としては、紙を使用することもできる。
【００１９】
ＩＣチップ３４は、フリップチップ実装などにより、上記のアンテナ３５に導通するように設けられるものであり、このＩＣタグ５が取付けられる製品に関する情報が記憶されるものであり、上記のアンテナ３５を介しての信号の送信により、所定の情報が記憶され、またアンテナ３５を介してＩＣタグ５に記憶された情報が読取られるものである。
なお、上記のＩＣチップ３４は、一般に、ポリイミド、ビスマレイミド樹脂などの電気絶縁性の硬化樹脂等により、封止されて保護されている。さらに、紙の貼り合わせによりＩＣチップ３４を封止することもできる。
このようなＩＣチップ３４には、既に述べた通り、包装容器に充填されている内容物に関する情報（例えば生産者、製造業者、生産年月日、出荷日時など）や容器、キャンペンに関する情報などが入力されている。このような情報の入力や出力は、高周波信号により行われ、一般に９００ＭＨｚ付近のＵＨＦ帯や１３．５６ＭＨｚの周波数帯が主として利用される。
【００２０】
ＩＣチップ３４への信号の送受信のために使用されるアンテナ３５は、使用される信号の周波数に応じた共振長さなどを有する。アンテナ３５は、通常、アルミニウム、銅、銀、金などの低抵抗金属の薄膜（厚みが５乃至５０μｍ程度）からなるものであり、例えば金属箔の貼り合わせやメッキ、エッチング、銀ペーストなどの導電性インキを用いての印刷により形成することができる。
なお、フィルム基材３３の厚みは、その表面にＩＣチップ３４を実装する作業やアンテナ３５を形成するためのメッキ作業などを行い得る程度の強度を示すようなものであればよく、後述するキャップへの装着形態に応じて適宜の厚みとすることができる。例えば、フィルム基材３３の裏面（ＩＣチップ等が設けられていない側の面）或いは表面の金属製アンテナが存在しない部分でのヒートシールによりキャップに装着する場合には、比較的薄肉でよいが、嵌め込みなどによりキャップに装着する場合には、比較的厚肉とすることが必要である。このような観点から、フィルム基材３３の厚みは、一般に、５〜１０００μｍ程度の範囲とし、この範囲内で、装着形態に応じた厚みとすることが好適である。
また、図５では、フィルム基材３３は円板形状を有しているが、その取り付け形態や回路の破断位置などに応じて適当な形状を有していればよく、円形である必要はない。
【００２１】
ＩＣチップ３４は、フィルム基材３３の中心と外周との間に配設されている。ＩＣチップ３４の側部では、アンテナ３５の両端部がＩＣチップ３４側に曲げられることによってＩＣチップ３４と接続されている。アンテナ３５の形状は、フィルム基材３３の外周部に沿って、内外に２重に配設され、内側ではほぼ環状であって、外側は二股に分かれた円弧形状である。そして、アンテナ３５の一部は、分断されるように、上述したカッター１１の直下方で、かつ凹溝２８の上に配置されている。
【００２２】
図１に示すように、複合キャップ１が組付けられた状態では、オーバーキャップ２の頂壁パネル７とインナーキャップ３の上壁パネル１９との間に中間部材４の高さと同じか多少狭い隙間が形成されている。オーバーキャップ２のスカート壁８とインナーキャップ３の筒状壁２０との間には、僅かな隙間４３が形成されている。一方、中間部材４の周壁２７の先端部の内径はインナーキャップ３の傾斜面２４上に、先端部が載置される大きさにすることが好ましい。このように、中間部材４は頂壁パネル７と上壁パネル１９との間に配設され、周壁２７の先端部が上壁パネル１９の外周部に載置されるようにして収容される。
隙間４３の幅は、周壁２７の先端部の厚さよりも大きく、周壁２７の基端側よりは僅かに小さく形成される。よって、中間部材４が下方に押圧された場合は、中間部材４が下方に押し込まれることによって、周壁２７に形成されたスリット３１の隙間が外側へ開き、先端部が隙間４３に差し込まれ、周壁２７自体がスカート壁８と筒状壁２０との間に挟着された状態となる。
【００２３】
複合キャップ１が組付けられる容器６は、その口頸部２１に雄ネジ４０を形成している。雄ネジ４０には、インナーキャップ３の内周部に形成した雌ネジ２２と螺子係合する。口頸部２１の下部には、環状に外側に突出する係止あご部４１が形成されている。
複合キャップ１が口頸部２１に装着された状態では、オーバーキャップ２のタンパーエビデント裾部１３の内周面に形成されているフラップ１７が係止あご部４１の下面に係止され、オーバーキャップ２の抜け止めとなる。
【００２４】
複合キャップ１を容器６に装着する一例をあげると、先ず、インナーキャップ３を予め口頸部２１にネジ係合によって装着し、次いで、中間部材４の先端部をインナーキャップ３の上壁パネル１９に載置するようにして重ねる。この際、中間部材４の周壁２７の先端部をインナーキャップ３の傾斜面２４（図２）に載せる。中間部材４には予めＩＣタグ５を付しておくが、接着剤で取付けてもよく、ＩＣタグ５のフィルム基材３３を熱溶着によって、上壁パネル１９の上面に取付けることができる。
【００２５】
そして、オーバーキャップ２を、インナーキャップ３及び中間部材４の上に被せる。オーバーキャップ２は、タンパーエビデント裾部１３に形成したフラップ１７が係止あご部４１を乗り越えると、フラップ１７の先端が係止あご部４１の底面に係止され、フラップ１７が抜け止めになる。このとき、中間部材４は、頂壁パネル７と上壁パネル１９との間で上下に挟まれることによって、中間部材４と共にオーバーキャップ２のガタツキを防止できる。
なお、プッシュ板９には、破断部１８を隠すためのシールを貼着してもよく、またシールには、キャップの開封の仕方や、ＩＣタグの読み取りに関する注意書きなどを記載してもよい。
【００２６】
次に、本発明のＩＣタグ付き複合キャップにおける実施形態の作用について説明する。
ＩＣタグ５には、予め製品情報などが記録される。例えば、容器６の内容物である飲料の製造年月日、生産地、消費期限、開封履歴情報などの基本的な製品情報やその他、製品のキャンペン情報などを記録できる。さらには、容器が飲料や食品でない場合は、例えば、洗剤などであれば使用方法や注意書きなどが記録できる。よって、ユーザは、容器６の購入時には、店頭に備えた読取り装置や、携帯電話などの読取器などで商品情報を知ることができる。
【００２７】
ユーザが複合キャップを開封するときは、先ず、図６のＡの未開封状態からオーバーキャップ２のプッシュ板９を押す。破断ラインに沿ってプッシュ板９が破断される。プッシュ板９の底面にはカッター１１が設けられているので、プッシュ板９が下方に下がることによって、図６のＢに示すように、カッター１１がフィルム基材３３を突き破る。カッター１１の直下には、アンテナ３５が通っているので、アンテナ３５が切断される。中間部材４の天板２６には凹溝２８が形成されており、カッター１１が凹溝２８に食い込んで、アンテナ３５を容易に切断できる。さらに容易に切断させるには、アンテナ３５が切断される部分（位置）の左右両側に位置させて、フィルム基材３３に切込みを入れておいてもよい。
ＩＣチップ３４を保護するには、カッター１１の高さを凹溝２８の深さよりも大きくして、プッシュ板９と天板２６との間に、ＩＣタグ５よりも厚い、隙間を形成させておく。
こうして、アンテナ３５の一部が断線し、読み取り器との間で通信ができなくなる。よって、いたずらを目的として開封したものについては、ユーザが容器を手に取った時点でＩＣタグ５の通信ができないので、ユーザはキャップが開封されていることが分かる。
【００２８】
図６のＢに示すように、プッシュ板９が破断して、プッシュ板９が中間部材４の天板２６を押込むと、中間部材４の周壁２７にはスリット３１が形成されており、周壁２７がスリット３１の薄肉部で拡径することによって、周壁２７がスカート壁８と筒状壁２０との間の隙間４３に入り込む。周壁２７の先端部はインナーキャップ３の傾斜面２４に載置されており、傾斜面２４を下方に沿って隙間４３に案内される。
周壁２７の断面形状は楔のように下方が薄く、上方に向けて厚くなっており、その上方の部分で周壁２７が隙間４３を埋めて、周壁２７がスカート壁８と筒状壁２０との間に挟着される。よって、これらの間に挟着された周壁２７を介してオーバーキャップ２とインナーキャップ３、中間部材４とが一体的に固定された状態になる。特に、スカート壁８の内周面には、滑り止め用の内ローレット１６が形成され、筒状壁２０の外周面には外ローレット２３が形成されている。このように、周壁２７が滑り止め用の内外ローレット１６と２３との間に形成されているので、複合キャップの回転方向には、滑ることなく堅く固定される。
こうした状態で複合キャップ１を回転させると、インナーキャップ３は容器６との螺子係合によって、口頸部２１を上昇する。オーバーキャップ２、インナーキャップ３及び中間部材４は、一体となって上昇するが、タンパーエビデント裾部１３はフラップ１７が係止あご部４１に係止されているので、破断ライン１２が切断されて、複合キャップ１（タンパーエビデント裾部１３を除く）が一体となって開栓することができる。
【００２９】
なお、中間部材４が押し込まれたときに、中間部材４が上方に戻らないように、係止爪を形成し、オーバーキャップ２あるいはインナーキャップ３のいずれかに係止爪の引っかけ部を形成し、中間部材４の戻りを防止してもよい（図示せず）。
本実施形態では、タンパーエビデント裾部１３を形成しているので、フラップ１７が係止あご部４１に係止され、破断ライン１２が切断される。このタンパーエビデント裾部１３は、例えば、該タンパーエビデントバンドに代えて、キャップの回転に伴なわずに、摘みをもって、橋絡部を引き裂きさける引き裂きバンドを利用してもよい。
【００３０】
ユーザは容器６の購入時、若しくは購入後に携帯電話などの読取り装置で、商品の製造年月日や消費期限を確認できる。また、複合キャップ１が未だ未開封である情報を確認でき、開封後における中身の交換などのいたずらが認知され、かつ防止される。
【００３１】
次に、本発明の第２の実施形態について、図７及び図８を参照にして説明する。
本実施形態では、上記第１の実施形態に対して、ＩＣタグとプッシュ板に形成されているカッターの形状と位置のみが異なっているが、上記第１の実施形態と同一名称のものは同一の符号を付して説明する。また、特に説明しない部分は、上記第１の実施形態と同様の構成である。
本実施形態では、樹脂製のオーバーキャップ２は、頂壁パネル７の中央部には、円形のプッシュ板９が設けられ、プッシュ板９の中央下面には、円錐形状に下方へ突出するカッター１１を形成している。
図８のＡ及びＢに示す樹脂製の中間部材４は、ＩＣタグ５を貼着する天板２６と、天板２６の周辺から降下した周壁２７とからなる。天板２６の中央部には、複合キャップ１が組付けられた状態で、オーバーキャップ２のプッシュ板９に形成されたカッター１１の直下方に位置する円錐形状の凹溝（孔）２８を形成している。
【００３２】
図７に示すＩＣタグ５は、円形の厚さの薄い樹脂製のフィルム基材３３、記録媒体を有するＩＣチップ３４，ＩＣチップ３４に接続されている情報送受信用のアンテナ３５を備えている。ＩＣチップ３４には、リード線３７を備えた切断回路３６が設けられている。
リード線３７はＩＣチップ３４の一端からフィルム基材３３の中央側を通り、ＩＣチップ３４の他端側に連結される。この切断回路３６は、リード線３７を切断することによって、リード線３７の切断前と切断後に電気的変化が生じることによって、リード線３７が切断されたか否かを検知できる。
リード線３７は、上述したプッシュ板９の底面に形成されているカッター１１によって、切断されるので、カッター１１の下方を通すか、カッター１１によって効果的に切断される位置に配置することが重要である。本実施形態では、カッター１１はオーバーキャップ２の中心部に位置するので、リード線３７のいずれかの部位を中央に配置する必要がある。このように、切断部とカッター１１を中心部に位置させることによって、位置合わせの必要がなくなる。
【００３３】
次に、本発明のＩＣタグ付き複合キャップにおける実施形態の作用について説明する。
ＩＣタグ５には、予め製品情報などが記録される。例えば、容器６の内容物である飲料の製造年月日、生産地、消費期限、開封履歴情報などの基本的な製品情報やその他、製品のキャンペン情報などを記録できる。さらには、容器が飲料や食品でない場合は、例えば、洗剤などであれば使用方法や注意書きなどが記録できる。よって、ユーザは、容器６の購入時には、店頭に備えた読取り装置や、携帯電話などの読取器などで商品情報を知ることができる。
【００３４】
本実施形態では、複合キャップ１の開封後もＩＣタグ５との通信が可能であるので、開封前の情報や、開封後に新たな内容を知らせしめることができる。例えば、商品に当たりくじなどを付す場合は、製品購入前に店頭などで検知されないようにする必要がある。
よって、製品を購入してからキャップの開封後に、当たりくじをユーザに知らせしめることが必要である。そのようなキャップの当たり情報などを、開封前はユーザに知られないように、記録させておく。そして、ＩＣタグ５の切断回路３６が切断されたときに、新たな当たり情報がＩＣタグ５から読み取れるようにすればよい。
【００３５】
ユーザが複合キャップを開封するときは、先ず、図８のＡの未開封状態からオーバーキャップ２のプッシュ板９を押す。破断ラインに沿ってプッシュ板９が破断される。プッシュ板９の底面にはカッター１１が設けられているので、プッシュ板９が下方に下がることによって、図８のＢに示すように、カッター１１がフィルム基材３３を突き破る。カッター１１の直下には、切断回路３６のリード線３７が配設されているので、リード線３７が切断する。中間部材４の天板２６には凹溝２８が形成されており、カッター１１が凹溝２８に食い込んで、リード線３７を容易に切断できる。さらに容易に切断させるには、リード線３７が切断される部分（位置）の左右両側に位置させて、フィルム基材３３に切込みを入れておいてもよい。
ＩＣチップ３４を保護するには、カッター１１の高さを凹溝２８の深さよりも大きくして、プッシュ板９の破断後においても、プッシュ板９と天板２６との間に、ＩＣタグ５よりも厚い、隙間を形成させておく。
【００３６】
本実施形態では、カッター１１の位置をオーバーキャップ２の中心に位置させ、リード線３７の位置もオーバーキャップ２の中心の直下に位置させているので、位置合わせが必要なく、オーバーキャップ２がいずれの回転角であっても。リード線３７を切断できる。
こうして、切断回路３６の一部が断線し、切断回路３６に電気的な変化（抵抗の変化による電圧変化など）を生じさせる。この電気的な変化によって、ＩＣチップに内蔵されていた新たな記録情報、例えばキャップの未開封情報が消去（若しくは変更）されて、読取り装置は以後、開封済み情報を受信することになる。
【００３７】
ユーザは容器６の購入時、若しくは購入後に携帯電話などの読取り装置で、商品の製造年月日や消費期限を確認できる。また、複合キャップ１が未だ未開封である情報を確認でき、開封後における中身の交換などのいたずらが認知され、かつ防止される。
また、ユーザは、複合キャップの開栓後、余裕をもってＩＣタグに記録されている、当たりくじやキャンペン情報を知ることができる。
さらには、複合キャップ１が廃棄されて回収された後には、リサイクルにおいてキャップの種類や、色別情報を記録することで、自動装置などによる識別、種類毎の自動的な仕分けなども可能となる。
このように、従来では、アンテナを断線していたので、キャップの開栓後はＩＣチップからＩＣタグ情報を得ることができなかったが、本実施形態では、複合キャップ１の開栓後にもＩＣタグ情報を得ることができる。
【００３８】
次に、本発明の第３の実施形態について説明する。
本実施形態では、上記第２の実施形態と複合キャップ１の形状は、全て同じであり、ＩＣタグ５１の構成が異なる。よって、複合キャップ１については、上記第１及び第２の実施形態と同様の符号を付して説明する。
図９に示すＩＣタグ５１は、円形の厚さの薄い樹脂製のフィルム基材５２、記録媒体を有するＩＣチップ５３、ＩＣチップ５３に接続されている情報送受信用のアンテナ５４を備えている。したがって、本実施形態では、ＩＣチップ５３から引き出された開封検出用の切断回路を備えていない。
本実施形態では、切断回路５４として、アンテナ５６とＩＣチップ５３との間に切断用のリード線５５を設けている。
図８のＡに示すように、リード線５５は、上述したプッシュ板９の底面に形成されているカッター１１によって、切断されるので、リード線５５はカッター１１の下方を通すか、カッター１１によって切断される位置に配置することが重要である。カッター１１は、リード線５５のいずれかの部位の直上に配置する必要がある。
【００３９】
複合キャップ１の開栓時には、図８のＡの未開封状態からオーバーキャップ２のプッシュ板９を押す。破断ラインに沿ってプッシュ板９が破断される。プッシュ板９の底面にはカッター１１が設けられているので、プッシュ板９が下方に下がることによって、カッター１１がフィルム基材３３を突き破る。カッター１１の直下には、リード線５５が配設されているので、リード線５５が切断する。中間部材４の天板２６には凹溝２８が形成されており、カッター１１が凹溝２８に食い込んで、リード線５５を容易に切断できる。さらに容易に切断させるには、リード線５５が切断される部分（位置）の左右両側に位置させて、フィルム基材５２に切込みを入れておいてもよい。
リード線５５が切断されると、ＩＣチップ５３とアンテナ５６との接続が切断され、ＩＣタグ５１は読取り装置との間で送受信不能状態となる。この送受信不能状態となったことによって、販売者、ユーザなどは、複合キャップ１が開封されているのが認識できる。
【００４０】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、中間部材４は、周壁２７を隙間４３に差し込んでオーバーキャップ２とインナーキャップ３とを固定したが、中間部材４は、オーバーキャップ２とインナーキャップ３とを回転方向に固定（ロック）できればよく、例えば、オーバーキャップ２の内周面に縦溝を形成し、インナーキャップ２の外周面に縦溝を形成し、中間部材４の周壁２７の外周面にそれらの溝に対応する縦溝を形成し、縦溝同士を嵌め合わせることによって、オーバーキャップ２とインナーキャップ３とを固定するようにしてもよい。
また、上記実施形態では、カッターを１つ用いたが、カッターについては複数個設けてもよい。例えば、第１の実施形態では、カッターを２個用い、アンテナの２箇所を切断してもよい。アンテナの切断について、より確実性が増す。
【符号の説明】
【００４１】
１  複合キャップ
２  オーバーキャップ
３  インナーキャップ
４  中間部材
５，５１  ＩＣタグ
６  容器
７  頂壁パネル
８  スカート壁
９  プッシュ板
１１  カッター
１９  上壁パネル
２０  筒状壁
２６  天板
２７  周壁
２８  凹溝
３１  スリット
３４，５３  ＩＣチップ
３６，５４  切断回路
３７，５５  リード線
【図１】
2014114065.tif 000003
【図２】
2014114065.tif 000004
【図４】
2014114065.tif 000005
【図５】
2014114065.tif 000006
【図６】
2014114065.tif 000007
【図７】
2014114065.tif 000008
【図８】
2014114065.tif 000009
【図９】
2014114065.tif 000010
【図３】
2014114065.tif 000011